(57)【特許請求の範囲】
【請求項１】
マルチモジュールによる無線ＬＡＮ維持装置を含み、
該マルチモジュールによる無線ＬＡＮ維持装置は内部に設置する制御プログラム、及び、該マルチモジュールによる無線ＬＡＮ維持装置内に設置可能な数個の周波数モジュール及び多機能モジュールにより構成し、
該制御プログラムの内部プログラムは制御ユニット、伝送ユニット、応用組合せユニット、信号伝送流量平衡ユニット、周波数管理ユニット、信号伝送流量制御ユニットにより構成し、
前記御ユニットは単一機能モードであるか、多機能モードであるかを判断し、
前記伝送ユニットは単一機能モードをサポートし、ユーザーＩＤを検査し、信号伝送を行ない、
前記応用組合せユニットは多機能モードをサポートし、
前記信号伝送流量平衡ユニットは伝送信号の平衡を提供し、
前記周波数管理ユニットは周波数適用の変調技術を提供し、
前記信号伝送流量制御ユニットは周波数伝送流量を制御し、
前記周波数モジュール及び該多機能モジュールは、随時交換可能なスロット構成、或いは内蔵モジュール構成とすることができ、また、無線通信協定によって許される無線通信周波数範囲内に前記周波数モジュールの周波数を設置し、前記多機能モジュール内には使用の必要に応じてモジュールを拡充し、該周波数モジュール及び該多機能モジュールの組合せにより、該マルチモジュールによる無線ＬＡＮ維持装置は多機能な応用及び拡充性が可能であり、
前記マルチモジュールによる無線ＬＡＮ維持装置が許される無線通信周波数範囲内の異なる周波数の信号を受信する時、該制御プログラム内部の周波数管理ユニットにより、周波数適用の変調手段を提供し、競争性パケット伝送を非競争性パケット伝送にして、伝送を待つ間に発生するデータレートの流失を防ぐことをことを特徴とするマルチモジュールによる無線ＬＡＮ装置。
【請求項２】
前記マルチモジュールによる無線ＬＡＮ維持装置は二組の同一周波数の周波数モジュール、及び一組の異なる周波数の周波数モジュールの組合せ、或いは二組以上の同一周波数の周波数モジュールを内部に設置することができ、これにより、該無線ＬＡＮのエリア内の使用者は同時に該信号伝送流量制御ユニットにより自動的に周波数伝送流量を制御可能し、周波数伝送流量倍増の効果と拡充性を可能することを特徴とする請求項１記載のマルチモジュールによる無線ＬＡＮ維持装置
【請求項３】
前記マルチモジュールによる無線ＬＡＮ維持装置において、単一或いは多種の許される周波数モジュールの単一機能モードを拡充することができ、或いは、前記マルチモジュールによる無線ＬＡＮ維持装置を許される周波数モジュール及び及び拡充機能の多機能モジュールに設置して多機能モードとし、前記マルチモジュールによる無線ＬＡＮ維持装置内部の制御プログラム中の制御ユニットを用い、単一機能モードであるか、多機能モードであるかを判断し、前記伝送ユニットを通して単一機能モードを支援し、ユーザーに無線通信伝送の機能を提供することを特徴とする請求項１記載のマルチモジュールによる無線ＬＡＮ維持装置
【発明の詳細な説明】
【０００１】
【発明の属する技術分野】
本発明は一種のマルチモジュールによる無線ＬＡＮ維持装置、及び、その組合せ応用、並びに、無線ＬＡＮ維持装置において時間周波数効果損耗を減少させる装置、特に一種の多機能な応用及び拡充性を達成するマルチモジュールによる無線ＬＡＮ維持装置の技術分野に属する。
【０００２】
【従来の技術】
従来の無線ＬＡＮ(ＷＬＡＮ.WirelessLAN)では、特開平11-275058号等に示されように、データ伝送速度の確保を優先しているため、規格帯域幅内に通信チャンネルを一つしかとることができない。したがって、２以上のユーザーが重なる場合を図１に示して説明すると、無線ＬＡＮ１内には無線ＬＡＮ維持装置１１を架設し、該無線ＬＡＮ１内の無線ＬＡＮカードを設置するデスクトップＰＣ１２、或いは、無線ＬＡＮカードを設置するノートＰＣ１３を連結し使用する。
現在市販されている無線ＬＡＮ維持装置はすべて、同一の周波数、或いは二種の異なる周波数を同じ基盤となる同一プラットフォーム上に設計したもので、いわゆる、シングルチャンネルによる無線ＬＡＮ維持装置２１、或いは、デュアルモードによる無線ＬＡＮ維持装置２２と呼ばれるものである。
図２が示すように、前記シングルチャンネルによる無線ＬＡＮ維持装置２１は単一の周波数（ＩＥＥＥ８０２．１１ａ、或いはＩＥＥＥ８０２．１１ｂ）を同一プラットフォーム上に設計しする。ユーザーには、単一、或いは、どちらかの周波数を選択した上での機能だけを提供可能としてため、別の周波数の機能を提供しようとする時には、別に無線ＬＡＮ維持装置を購入しなければならなず、使用上非常に不便でまたコストも嵩み、場所もとる。
一方、該デュアルモードによる無線ＬＡＮ維持装置２２は二種の異なる周波数（ＩＥＥＥ８０２．１１ａ、及びＩＥＥＥ８０２．１１ｂ）を同一プラットフォーム上に設計する。ユーザーには同時に二種の周波数の機能を提供しようとする場合は、図３に示すように、一部のデータレート(Data.Rate)を流失してしまう（図３参照）という不都合が生じていた。このデュアルモードによる無線ＬＡＮ維持装置２２が二種の信号（第一ユーザーと第二ユーザー）を受信した時、ステップ３(符号３)では、該モードはユーザーのＩＥＥＥ８０２．１１及びＳＳＩＤ(Service Set Identifier)、或いは、ＷＥＰ(Wired  Equivalent Privacy)を検査し、かつ、ステップ31(符号31)ではＯＦＤＭ(Orthogonal Frequency Division Multiplex)、ＰＢＣＣ(Packet Binary Convolutional Cod)或いはＣＣＫ(Complementary Code Keying)の変調形式の変調手段から選択し、パケット伝送と競争することになる。
このモードが二種の内の一方の信号を選択肢データの伝送を行なう時、ステップ32において、例えば、第一ユーザーは先ずデータ伝送を行なう時、ステップ33では第二ユーザー位置はスタンバイ状態となり、該第二ユーザーは該第一ユーザーのデータ伝送完了を待たなければならない。そして、第一ユーザーのデータ伝送完了後、第二ユーザーはアクセスすることができる。
しかしながら、第二ユーザーがスタンバイ状態である時、スッテプ34では一部のデータレートを流失する不都合がしばしば生じという不都合があり、かつ、周波数の競争状況が頻繁になると、流失するデータレートもますます多くなり、作業効率は著しく低下する。
【０００３】
次に、図４が示すように、数個の無線ＬＡＮエリアを連結する時には、公知の技術では二棟のビル４１、４２間に無線ＬＡＮ４を架設し、Ａビル４１内にＬＡＮ同士を接続するブリッジ４１１を設置し、無線ＬＡＮ維持装置４１２を接続する。さらに、Ｂビル４２内にもブリッジ４２１を設置し、無線ＬＡＮ維持装置４２２を接続する。二棟のビル４１、４２中は該ブリッジ４１１一端と該ブリッジ４２１反対端により、ＬＡＮ４３連結する。
しかし、上記公知の技術は、二台のブリッジ及び数台の無線ＬＡＮ維持装置を購入しなければならない。さらに、もし無線ＬＡＮエリアを拡大したい、或いは周波数を更新したい場合には、また新たにホストコンピュータを購入する必要がある。これでは、あまりにもコストがかかり過ぎ、空間的にも無駄である。
【０００４】
続いて、図５が示すように、同一の無線ＬＡＮエリア５内において、その作業信号伝送流量及びユーザーサービスの数量を増加させようとする場合には、公知の技術では、数台の無線ＬＡＮ維持装置５１、５２、５３を購入し、ＬＡＮ５４により並列する必要がある。これにより、そのエリア内での作業信号伝送流量及びユーザーサービス数量を増加させることができる。
しかし、該公知の技術では該無線ＬＡＮエリア５を強化したい、或いは、新周波数を加えたい場合には、同様に無線ＬＡＮ維持装置を購入する必要がある。そのため、メンテナンス費用、施工の時間、コストすべてにおいて莫大な浪費で、かつその信号伝送流量平衡もあまり良くない場合が多い。
【０００５】
【発明が解決しようとする課題】
本発明は、上記のような従来の構造の不都合を解決することを課題としたもので、パケット伝送を競争性から非競争性としすることを課題とし、データレートの流失を生させない装置を提供するものである。
さらに、公知の固定周波数をスロット式、或いは、内蔵式に改良可能で、新周波数への切り替え時にもホストコンピュータを交換する必要せず、コスト削減が可能で、交換を迅速にし、かつ高い市場競争力を具える装置を提供するものである。
また、そのマルチモジュールによる無線ＬＡＮ維持装置内に設置するモジュールは単一機能モード或いは多機能モードを支援可能で拡充性能に優れる装置を提供するものである。
加えて、その多機能モードはブリッジ、バックアップ、グループ、リピート等の多種のモジュールに交換可能で、多種の組合せと弾力的な変化が可能で、多種の用途に応用できる装置を提供するものである。
【０００６】
【課題を解決するための手段】
上記の課題を解決するために、請求項１の発明は、マルチモジュールによる無線ＬＡＮ維持装置を含み、該マルチモジュールによる無線ＬＡＮ維持装置は内部に設置する制御プログラム、及び、該マルチモジュールによる無線ＬＡＮ維持装置内に設置可能な数個の周波数モジュール及び多機能モジュールにより構成し、該制御プログラムの内部プログラムは制御ユニット、伝送ユニット、応用組合せユニット、信号伝送流量平衡ユニット、周波数管理ユニット、信号伝送流量制御ユニットにより構成し、前記御ユニットは単一機能モードであるか、多機能モードであるかを判断し、前記伝送ユニットは単一機能モードをサポートし、ユーザーＩＤを検査し、信号伝送を行ない、前記応用組合せユニットは多機能モードをサポートし、前記信号伝送流量平衡ユニットは伝送信号の平衡を提供し、前記周波数管理ユニットは周波数適用の変調技術を提供し、前記信号伝送流量制御ユニットは周波数伝送流量を制御し、前記周波数モジュール及び該多機能モジュールは、随時交換可能なスロット構成、或いは内蔵モジュール構成とすることができ、また、無線通信協定によって許される無線通信周波数範囲(無線通信協定周波数）内に前記周波数モジュールの周波数を設置し、前記多機能モジュール内には使用の必要に応じてモジュールを拡充し、該周波数モジュール及び該多機能モジュールの組合せにより、該マルチモジュールによる無線ＬＡＮ維持装置は多機能な応用及び拡充性が可能であり、前記マルチモジュールによる無線ＬＡＮ維持装置が許される無線通信周波数範囲内の異なる周波数の信号を受信する時、該制御プログラム内部の周波数管理ユニットにより、周波数適用の変調手段を提供し、競争性パケット伝送を非競争性パケット伝送にして、伝送を待つ間に発生するデータレートの流失を防ぐことをことを特徴とするマルチモジュールによる無線ＬＡＮ装置である。
請求項２の発明は、前記マルチモジュールによる無線ＬＡＮ維持装置は二組の同一周波数の周波数モジュール、及び一組の異なる周波数の周波数モジュールの組合せ、或いは二組以上の同一周波数の周波数モジュールを内部に設置することができ、これにより、該無線ＬＡＮのエリア内の使用者は同時に該信号伝送流量制御ユニットにより自動的に周波数伝送流量を制御可能し、周波数伝送流量倍増の効果と拡充性を可能することを特徴とする請求項１記載のマルチモジュールによる無線ＬＡＮ維持装置である。
請求項３の発明は、前記マルチモジュールによる無線ＬＡＮ維持装置において、単一或いは多種の許される周波数モジュールの単一機能モードを拡充することができ、或いは、前記マルチモジュールによる無線ＬＡＮ維持装置を許される周波数モジュール及び及び拡充機能の多機能モジュールに設置して多機能モードとし、前記マルチモジュールによる無線ＬＡＮ維持装置内部の制御プログラム中の制御ユニットを用い、単一機能モードであるか、多機能モードであるかを判断し、前記伝送ユニットを通して単一機能モードを支援し、ユーザーに無線通信伝送の機能を提供することを特徴とする請求項１記載のマルチモジュールによる無線ＬＡＮ維持装置である。
すなわち、前記の各本発明は下記のマルチモジュールによる無線ＬＡＮ維持装置、及びその組合せ応用、並びに、時間周波数効果損耗を減少させる装置であり、それは主にマルチモジュールによる無線ＬＡＮ維持装置を含むものであり、該マルチモジュールによる無線ＬＡＮ維持装置は内部に設置する制御プログラム及び該マルチモジュールによる無線ＬＡＮ維持装置内に設置可能な数個の周波数モジュール及び多機能モジュールにより構成する。
該制御プログラムの内部プログラムは制御ユニット、伝送ユニット、応用組合せユニット、信号伝送流量平衡ユニット、周波数管理ユニット、信号伝送流量制御ユニットにより構成する。
該周波数モジュール及び該多機能モジュールは、随時交換可能なスロット式、或いは内蔵モジュール式とすることができる。また、該周波数モジュールは無線通信協定で許される周波数内に設置し、該多機能モジュール内には使用の必要に応じてモジュールを拡充し、該周波数モジュール及び該多機能モジュールの組合せにより、該マルチモジュールによる無線ＬＡＮ維持装置は多機能な応用及び拡充性を達成することができる。
該マルチモジュールによる無線ＬＡＮ維持装置が異なる周波数の信号を受信する時、該制御プログラム内部の周波数管理ユニットにより、周波数適用の変調技術を提供し、競争性パケット伝送を非競争性パケット伝送に向上させるため、伝送を待つ間に発生するデータレートの流失を防ぐ。また、該制御プログラム内部の信号伝送流量平衡ユニット及び該信号伝送流量制御ユニットを利用し、信号伝送流量管理及び信号の安定を達成し、信号伝送を最良化することができる。
【０００７】
【発明の実施の形態】
本発明の１実施例を図６から図１３に用いて説明する。
図６が示すように、本発明の主体は、マルチモジュールによる無線ＬＡＮ維持装置６であって、このマルチモジュールによる無線ＬＡＮ維持装置６は、内部に制御プログラム６１、及び、該マルチモジュールによる無線ＬＡＮ維持装置６内に設置可能な数個の周波数モジュール６２及び多機能モジュール６３（例えば、クライアントモード、バックアップモード、グループモード、ブリッジモード、リピートモード）等により構成される装置が設置される。
前記制御プログラム６１の内部プログラムは、図７が示すように、制御ユニット６１１、伝送ユニット６１２、応用組合せユニット６１３、信号伝送流量平衡ユニット６１４、周波数管理ユニット６１５、信号伝送流量制御ユニット６１６により構成されている。
ここで、前記制御ユニット６１１は、単一機能モードであるか、多機能モードであるかを判断し、前記伝送ユニット６１２は単一機能モードをサポートし、ユーザーＩＤを検査し信号伝送を行なう。前記応用組合せユニット６１３は多機能モードをサポートするもので、二以上の違う又は同じ多機種のモジュールを支援可能な応用組合せ可能なユニットである。
また、信号伝送流量平衡ユニット６１４は伝送信号の平衡を提供し、周波数管理ユニット６１５は周波数適用の変調形式の変調手段を提供し、信号伝送流量制御ユニット６１６は周波数伝送流量を制御する。
前記周波数モジュール６２及び該多機能モジュール６３は、随時交換可能なスロット構成、或いは、内蔵モジュール構成とすることができる。また、図６に示されるように、前記周波数モジュール６２内にはＩＥＥＥ８０２．１１ａ、ＩＥＥＥ８０２．１１ｂ、ＩＥＥＥ８０２．１１ａ＋ｂ、ＩＥＥＥ８０２．１１ｇ等を前記周波数モジュール６２に設置する。前記多機能モジュール６３内には、使用の必要に応じて、種々のモジュール（例えば、クライアントモード、バックアップモード、グループモード、ブリッジモード、リピートモード）を拡充することもできる。また、該周波数モジュール６２及び該多機能モジュール６３の組合せにより、該マルチモジュールによる無線ＬＡＮ維持装置６は多機能な応用及び拡充性を達成することができる。
【０００８】
次に、図８に示すように、本発明は無線ＬＡＮエリア内において、マルチモジュールによる無線ＬＡＮ維持装置６は無線通信協定で許される多種の異なる周波数の信号を受信可能である。
ステップ３で、該制御ユニット６１１は先ず単一機能モードであるか、多機能モードであるかを判断し、該伝送ユニット６１２はユーザーの無線ＬＡＮの標準プロトコルであるＩＥＥＥ８０２．１１、及び、ＳＳＩＤ(Service Set Identifier)、或いは、ＷＥＰ(Wired  Equivalent Privacy)を検査する。該周波数管理ユニット６１５を利用し、周波数適用の変調手段を提供し、ＯＦＤＭ(Orthogonal Frequency Division Multiplex)、ＰＢＣＣ(Packet Binary Convolutional Cod)或いはＣＣＫ(Complementary Code Keying)の種々の変調形式の変調手段からから選択し、パケット伝送を行い、異なる周波数モジュール６２により、パケット伝送を行なう。変調技術により同一周波数が競争するのではなく、その競争性パケット伝送を非競争性パケット伝送に向上させるため、伝送を待つ間に発生するデータレートの流失を防ぐことができる。
なお、二つの異なる周波数の周波数モジュール６２においては、中心周波数は許される帯域内でなるべく離れていたほうが干渉が少なく好ましい。
また、該制御プログラム６１内部の信号伝送流量平衡ユニット６１４及び該信号伝送流量制御ユニット６１６は、信号を安定させ、信号伝送流量を増強可能であるため、信号伝送を最良化し、作業効率を向上させることができる。
【０００９】
続いて、図９の指示図に示すように、周波数モジュール６２においては、種々の周波数の組み合わせにより、本発明は作業効率と拡充性能をさらに向上させるため、必要に応じて、前記マルチモジュールによる無線ＬＡＮ維持装置６の信号伝送流量を増加、拡充することができる。
図９の指示図において、マルチモジュールによる無線ＬＡＮ維持装置６において、二組の同一周波数の周波数モジュール６２、及び、一組の異なる周波数の周波数モジュール６２の組合せ（例えば、ＩＥＥＥ８０２．１１ａ＋ＩＥＥＥ８０２．１１ａ＋ＩＥＥＥ８０２．１１ｂ等の組合せ）、或いは二組以上の同一周波数の周波数モジュール６２（例えば、ＩＥＥＥ８０２．１１ｂ＋ＩＥＥＥ８０２．１１ｂ＋ＩＥＥＥ８０２．１１ｂ等の組合せ）を設置することができる。これにより、該無線ＬＡＮのエリア内の使用者は、種々の異なった組み合わせを採用することにより、第一ユーザーと第二ユーザーのデータ伝送が重複しても、競争することなく同時に該信号伝送流量制御ユニット６１６により自動的に周波数伝送流量を制御可能となる。
該信号伝送流量制御ユニット６１６は上記同一或いは異なる周波数の組合せを自動的に感知した時には、該信号伝送流量制御ユニット６１６使用者の必要に応じて、自動的に適用する周波数（例えば、周波数の組合せがＩＥＥＥ８０２．１１ａ＋ＩＥＥＥ８０２．１１ｂ＋ＩＥＥＥ８０２．１１ａ＋ｂで、８０２．１１ｂの周波数の需要が大きい時には、該信号伝送流量制御ユニット６１６は８０２．１１ｂ及び８０２．１１ａ＋ｂの周波数モジュール６２で、８０２．１１ｂ周波数伝送に用いる）を選択する。
こうして、周波数伝送流量倍増の効果と拡充性を可能となる。そのため、本発明は該マルチモジュールによる無線ＬＡＮ維持装置６において、環境の必要によりその組合せモードを変更する時には、異なる周波数モジュール６２に交換するだけで良く、別に新しくホストコンピュータを購入する必要はない。よって、コストと空間を大幅に削減可能である。
【００１０】
図１０、１１が示すように、本考案はさらにユーザー及び環境の必要により、該マルチモジュールによる無線ＬＡＮ維持装置６において単一或いは多種の無線通信協定で許される周波数モジュール６２、即ち、単一機能モードを拡充することができる。或いは、このマルチモジュールによる無線ＬＡＮ維持装置６を無線通信協定の周波数に設定した周波数モジュール６２及び及び拡充機能の多機能モジュール６３に設置し、即ち多機能モードとし、該マルチモジュールによる無線ＬＡＮ維持装置６内部の制御プログラム６１中の制御ユニット６１１を利用し、単一機能モードであるか、多機能モードであるかを判断する。該伝送ユニット６１２を通して単一機能モードを支援し、ユーザーに無線通信信号伝送の機能を提供する。
また、該多機能モードは、該応用組合せユニット６１３により多機能モードを支援するため、他の設備を増設し、出費を増やす必要はないながら、ユーザーは無線ネット信号伝送及び多種機能の拡充を行なうことができ、最良の拡充性と組合せを達成することができる。
【００１１】
次に図１２が示すように、本発明では二棟のビル間のように数個の無線ＬＡＭエリアを連結する時には、二棟のビル９１、９２間には無線ＬＡＮエリア９を架設する。即ち、Ａビル９１内においてブリッジ拡充機能を内蔵する多機能モジュール６３及び無線通信協定で許されるの多機能モジュール６２のマルチモジュールによる無線ＬＡＮ維持装置６を設置する。一方、Ｂビル９２内にも、ブリッジ拡充機能を内蔵する別の多機能モジュール６３及び無線通信協定で許される多機能モジュール６２のマルチモジュールによる無線ＬＡＮ維持装置６を設置する。該Ａビル９１のマルチモジュールによる無線ＬＡＮ維持装置６のブリッジ拡充機能の多機能モジュール６３一端は、該Ｂビル９２のマルチモジュールによる無線ＬＡＮ維持装置６のブリッジ拡充機能の多機能モジュール６３反対端と、ＬＡＮ接続する時、二組のブリッジ拡充機能を内蔵する多機能モジュール６３のマルチモジュールによる無線ＬＡＮ維持装置６は、上記公知技術と同様の効果を達成可能である（図４参照）。即ち、多種の拡充性、施工時間及び購買コストの節減を成し遂げることができる。
【００１２】
さらに図１３が示すように、本発明は該マルチモジュールによる無線ＬＡＮ維持装置６において、多数の無線通信協定の周波数モジュール６２を設置することができる。該信号伝送流量制御ユニット６１６により周波数を倍増し、拡充性を達成する。こうして、無線ＬＡＮエリア１０においてその作業信号伝送流量及びユーザーサービス量を増やし、同時に上記公知技術の並列機能（図５参照）をも達成する。これにより、施工の空間及び線材の消耗を減少させ、新周波数への交換或いは拡充時に、無線ＬＡＮ維持装置全体を交換する必要はなくなり、大幅なコスト削減、拡充性及び多種組合せを達成する。
【００１３】
【発明の効果】
上記のように、本発明のパケット伝送は競争性から、周波数伝送流量制御ユニットや周波数モジュールなどを用いて非競争性としたので、データレートの流失を生じないという効果が得られる。また、公知の固定周波数をスロットカード構成或いは内蔵構成にすることが可能で、新周波数への切り替え時にもホストコンピュータを交換する必要はないため、コスト削減となり、交換を迅速にすることができる。
本発明のマルチモジュールによる無線ＬＡＮ維持装置内に設置するモジュールは単一機能モード或いは多機能モードを支援可能であるから拡充性能に優れる。また、本発明の多機能モードはブリッジ、バックアップ、グループ、リピート等の多種のモジュールに交換可能で、多種の組合せと弾力的な変化が可能で、多種の用途に応用できる。さらに、新周波数、或いは機能をリリースする時、新しいスロットカード或いは内蔵モジュールを製造するだけで良いため市場競争力が高い。
【図面の簡単な説明】
【図１】公知の無線ＬＡＮエリアの作業図である。
【図２】公知の無線ＬＡＮ維持装置の構造図である。
【図３】公知のパケット伝送競争モードの指示図である。
【図４】公知の無線ＬＡＮエリアの連結指示図である。
【図５】公知の強化無線ＬＡＮエリアの指示図である。
【図６】本発明のマルチモジュールによる無線ＬＡＮ維持装置の構造図である。
【図７】本発明の制御プログラム内部の指示図である。
【図８】本発明の非競争モードパケット伝送の指示図である。
【図９】本発明の周波数組合せ実施例の指示図である。
【図１０】本発明モード単一機能モードの指示図である。
【図１１】本発明多機能モードの指示図である。
【図１２】本発明において連結を実施する無線ＬＡＮエリア範囲の指示図である。
【図１３】本発明の強化無線ＬＡＮエリア範囲の指示図である。
【符号の説明】
１  無線ＬＡＮ
１１  無線ＬＡＮ維持装置
１２  デスクトップＰＣ
１３  ノートＰＣ
２１  シングルチャンネルによる無線ＬＡＮ維持装置
２２  デュアルモードによる無線ＬＡＮ維持装置
３  ユーザーのＩＥＥＥ８０２．１１及びＳＳＩＤ、或いはＷＥＰを検査
３１  ＯＦＤＭ、ＰＢＣＣ或いはＣＣＫの変調技術から選択し、パケット伝送と競争
３２  第一ユーザーは先ずデータ伝送を行なう
３３  第二ユーザー位置はスタンバイ状態
３４  一部のデータレートを流失
４  無線ＬＡＮ
４１  Ａビル
４１１  ブリッジ
４１２  無線ＬＡＮ維持装置
４２  Ｂビル
４２１  ブリッジ
４２２  無線ＬＡＮ維持装置
４３  ＬＡＮ
５  無線ＬＡＮエリア
５１  無線ＬＡＮ維持装置
５２  無線ＬＡＮ維持装置
５３  無線ＬＡＮ維持装置
５４  ＬＡＮ
６  マルチモジュールによる無線ＬＡＮ維持装置
６１  制御プログラム
６１１  制御ユニット
６１２  伝送ユニット
６１３  応用組合せユニット
６１４  信号伝送流量平衡ユニット
６１５  周波数管理ユニット
６１６  信号伝送流量制御ユニット
６２  周波数モジュール
６３  多機能モジュール
９  無線ＬＡＮエリア
９１  Ａビル
９２  Ｂビル
９３  ＬＡＮ
１０  無線ＬＡＮエリア
【図１】
0003694683.tif 000002
【図２】
0003694683.tif 000003
【図３】
0003694683.tif 000004
【図４】
0003694683.tif 000005
【図５】
0003694683.tif 000006
【図６】
0003694683.tif 000007
【図７】
0003694683.tif 000008
【図８】
0003694683.tif 000009
【図９】
0003694683.tif 000010
【図１０】
0003694683.tif 000011
【図１１】
0003694683.tif 000012
【図１２】
0003694683.tif 000013
【図１３】
0003694683.tif 000014